(57)【要約】      （修正有）【課題】非使用時に簡単に保管することが可能な帽子を提供する。【解決手段】頭部に被る帽子本体１１と、該帽子本体１１に装着され、少なくとも該帽子本体１１を強磁性体に固定可能な磁力を有する帽子固定用マグネット１４とから構成される。マグネットユニット１２は２個の帽子固定用マグネット片１４を帽子本体１１の内側に装着したものであり、各帽子固定用マグネット片１４は、多極着磁された帽子固定用マグネット１６をシリコン樹脂等の樹脂１８で封止して構成されている。【選択図】図１
2014156666.tif 000002
【特許請求の範囲】
【請求項１】
頭部に被る帽子本体と、
該帽子本体に装着され、少なくとも該帽子本体を強磁性体に固定可能な磁力を有する帽子固定用マグネットと、
を備えたことを特徴とする帽子。
【請求項２】
前記帽子固定用マグネットは樹脂封止されていて防水性を有することを特徴とする請求項１記載の帽子。
【発明の詳細な説明】
【技術分野】
【０００１】
本発明は帽子に関する。
【背景技術】
【０００２】
頭部を守るという目的で、製造業での作業者や、スポーツをする人たちは様々な種類の帽子を着用する（例えば、実公平６−４３１２７号公報参照）。特に、工場や学校でのクラブ活動等では、帽子を着用することが義務付けられていることが多い。帽子は、必要な場所や場面においてのみ着用され、不要とされる場所、例えば工場であれば休憩室や事務室等では帽子を外すのが通常である。
【先行技術文献】
【特許文献】
【０００３】
【特許文献１】実公平６−４３１２７号公報
【特許文献２】特許第４４３３７１６号公報
【発明の概要】
【発明が解決しようとする課題】
【０００４】
不要となった帽子は、帽子掛けに掛けて保存したり、収納することが多い。もし帽子掛けがない場所では、引出の中や適当な台の上においたり、衣服のポケットに無理矢理折りたたんでしまったり、手で持っていたりするのが通常であり、非使用時の帽子の保管は非常に煩わしい。
【０００５】
また、帽子掛けに帽子を掛ける際も、帽子掛けのフック部分に上手く帽子が掛からないで落下してしまったりすることがよくあり、非使用時の帽子の簡単で便利な帽子の保管方法が要望されている。
【０００６】
本発明はこのような点に鑑みてなされたものであり、その目的とするところは、非使用時に簡単に保管することが可能な帽子を提供することである。
【課題を解決するための手段】
【０００７】
本発明によると、頭部に被る帽子本体と、該帽子本体に装着され、少なくとも該帽子本体を強磁性体に固定可能な磁力を有する帽子固定用マグネットと、を備えたことを特徴とする帽子が提供される。
【０００８】
好ましくは、帽子固定用マグネットは樹脂封止されていて防水性を有している。
【発明の効果】
【０００９】
本発明の帽子は、帽子本体に帽子本体を強磁性体に固定する程度の磁力を有するマグネットを装着したことで、工場やスポーツクラブの控え室等によくある強磁性体、例えばスチール製のキャビネットや棚、又は衝立等に容易に帽子を固定することができるため、新たな帽子掛けを設けることなく帽子を収納することが可能となる。
【００１０】
また、スチール製の棚等に向かって放り投げるだけでも帽子が固定されるので、煩わしくなく容易に楽しく固定できるため、帽子が帽子掛けから落ちて散乱したり、適当に放り出されて散乱したりするようなこともなくなるという効果もある。
【００１１】
更に、樹脂封止されたマグネットを帽子に装着することで、マグネットが装着された状態で帽子を洗濯しても、マグネットがさびたりすることがないため、手入れが容易になるという効果も奏する。柔らかいシリコン樹脂等を封止樹脂に用いれば、帽子をかぶった際にも頭部に硬質なものが直接当たる不快感を感じにくくなる。
【図面の簡単な説明】
【００１２】
【図１】本発明実施形態に係る帽子の一部拡大図を含む斜視図である。
【図２】スチール製の収納キャビネットに帽子を放り投げて固定する様子を示す斜視図である。
【図３】帽子の他の実施形態を示す斜視図である。
【図４】帽子本体に帽子固定用マグネット片を装着する方法を示す断面図である。
【発明を実施するための形態】
【００１３】
以下、本発明の実施形態を図面を参照して詳細に説明する。図１を参照すると、本発明実施形態に係る帽子１０の斜視図が示されている。帽子１０は、帽子本体１１と、帽子本体１１の内側に装着されたマグネットユニット１２とから構成される。
【００１４】
マグネットユニット１２は２個の帽子固定用マグネット片１４を帽子本体１１の内側に装着したものであり、各帽子固定用マグネット片１４は、多極着磁された帽子固定用マグネット（永久磁石）１６を例えばシリコン樹脂等の樹脂１８で封止して構成されている。
【００１５】
マグネット１６が樹脂１８で封止されているため、マグネットユニット１２が帽子本体１１に装着された状態で洗濯しても、マグネット１６は錆びたりすることがないため、手入れが容易になる。封止樹脂１８としてシリコン樹脂を用いれば、帽子を被った際に頭部に硬質なものが直接当たる不快感を感じにくくすることができる。
【００１６】
本実施形態では、２個の帽子固定用マグネット片１４によりマグネットユニット１２を構成しているが、マグネット１６の磁力が十分大きければ１個の帽子固定用マグネット片１４を帽子本体１１に装着するようにしてもよい。また、本実施形態では、マグネットユニット１２を帽子本体１１の内側に装着しているが、マグネットユニット１２を帽子本体１１の外側に装着するようにしてもよい。
【００１７】
本実施形態の帽子１０は、マグネットユニット１２が帽子本体１１に装着されているため、図２に示すように、例えば強磁性体であるスチール製の収納キャビネット２０に向かって帽子１０を投げることにより、帽子１０に装着したマグネットユニット１２の磁力により帽子１０を収納キャビネット２０の外側に固定することができる。よって、非使用時に帽子１０を簡単に楽しく固定することができる。
【００１８】
図３を参照すると、本発明の他の実施形態の帽子１０の斜視図が示されている。本実施形態の帽子１０では、帽子固定用のマグネットユニット１２が帽子本体１１の複数個所に装着されている。マグネットユニット１２の装着は、帽子本体１１の内側及び外側の何れでも良い。
【００１９】
本実施形態の帽子１０では、マグネットユニット１２が帽子本体１１の複数個所に装着されているので、帽子を脱いでスチール製の収納キャビネット等に向かって帽子１０を投げた際に、いずれかのマグネットユニット１２がキャビネットに磁力で吸着するため、帽子１０をキャビネットに確実に固定することができる。
【００２０】
図４を参照して、帽子本体１１に帽子固定用マグネット片１４を装着する方法について説明する。一つの方法では、図４（Ａ）に示すように、帽子固定用マグネット片１４を間に挟んで帽子固定用の布２２を帽子本体１１に縫い付ける。
【００２１】
他の方法は、図４（Ｂ）に示すように、面ファスナー２４，２６を利用して、帽子固定用マグネット片１４を帽子本体１１に装着する。まず、ファスナー面２４ａを有する面ファスナー２４を帽子本体１１に縫い付ける。
【００２２】
そして、ファスナー面２６ａ及び粘着面２８を有する面ファスナー２６の粘着面２８に帽子固定用マグネット片１４を貼着してから、面ファスナー２６を帽子本体１１に縫い付けられた面ファスナー２４に装着する。
【００２３】
このように一対の面ファスナー２４，２６を利用することにより、帽子固定用マグネット片１４を帽子本体１１に容易に装着することができ、帽子固定用マグネット片１４を取り外したい場合には、面ファスナー２６を面ファスナー２４から剥がすことにより、帽子固定用マグネット片１４を帽子本体１１から容易に取り外すことができる。
【符号の説明】
【００２４】
１０    帽子
１１    帽子本体
１２    マグネットユニット
１４    帽子固定用マグネット片
１６    帽子固定用マグネット
１８    封止樹脂
２０    収納キャビネット
２４，２６    面ファスナー
【図１】
2014156666.tif 000003
【図２】
2014156666.tif 000004
【図３】
2014156666.tif 000005
【図４】
2014156666.tif 000006